(57)【要約】【課題】  付加機能として少なくともメモリーカードのインターフェース機能を備えつつ、全体として小型化及び薄型化を図れるマウスを提供すること。【解決手段】  マウス本体１の内部構成として、イメージセンサ２を側部に寄せて配置するとともに、メモリーカード４を装填させるスロット３を中央付近を含むようにして配置させ、これらイメージセンサ２とスロット３とを同一基板１０に並べて設け、かつ、筐体全体を扁平形状とした。【選択図】  図１
2005165845.tif 000002
【特許請求の範囲】
【請求項１】
筐体下面の下に位置される操作面に臨まされるイメージセンサを備えたマウスであって、
前記イメージセンサは前記筐体内部の側部に配置され、
前記筐体内部の中央付近を含めた部位に付加機能を追加させるための空間が確保されている
ことを特徴とするマウス。
【請求項２】
前記付加機能は、記憶媒体が接続されるインターフェース機能である
ことを特徴とする請求項１に記載のマウス。
【請求項３】
前記イメージセンサは、前記記憶媒体を装填させるスロットと重ね合わされることなく並列に配置されている
ことを特徴とする請求項２に記載のマウス。
【請求項４】
前記筐体は扁平に形成される
ことを特徴とする請求項１に記載のマウス。
【請求項５】
前記イメージセンサと、前記記憶媒体を装填させるスロットとが同一基板に並べて設けられている
ことを特徴とする請求項２に記載のマウス。
【請求項６】
前記基板には、さらに前記操作面を照らすための照明手段が設けられている
ことを特徴とする請求項５に記載のマウス。
【発明の詳細な説明】
【技術分野】
【０００１】
本発明は、表示画面上のポインタを操作するためのポインティングデバイスであるマウスに関する。詳しくは、移動量をイメージセンサで光学的に読み取る光学式マウスであって、かつ、例えば記憶媒体のリーダライタの機能も具備している多機能なマウスに関する。
【背景技術】
【０００２】
従来より、電子スチルカメラやビデオカメラで撮影された画像や映像を記憶させる記憶媒体として半導体メモリカードが用いられている。また、最近ではカメラ付き携帯電話機の普及によりこれで撮影された画像を記憶させる記憶媒体としても半導体メモリカードが普及してきている。このようなメモリカードに記憶された画像や映像のデータを例えばコンピュータに転送したい場合には専用のインターフェース機器を介してメモリカードをコンピュータに接続させる必要がある。
【０００３】
ところが、これではインターフェース機器を別途用意し、またその設置スペースを要するなどの理由により、特に携帯して用いられる機会の多いノートブック型コンピュータでは使い勝手がよくないことから、専用のインターフェース機器を用いることなく、コンピュータに通常アクセサリ製品として付属されるマウスにメモリカードを装填させるスロットを設けて、マウスにインターフェース機器としての機能を兼用させるものがある。例えば、特許文献１参照。
【特許文献１】特開２００１−２２２３７４号公報
【発明の開示】
【発明が解決しようとする課題】
【０００４】
しかし、特許文献１に開示されているような従来のマウスは、図１３乃至図１５で示すように、ＬＥＤ（Light Emitting Diode）からの光をマウスパッドなどの操作面に照射させてその反射光を受光することによりマウスの移動量を検出するイメージセンサ２と、メモリカード４を装填させるためのスロット３とが中央付近に重ね合わさるように配置されていたため、マウス本体１の厚さが嵩んでしまっていた。
【０００５】
図１３に示すように、上記イメージセンサ２を設けた基板９と、上記スロット３を設けた基板８とが２段構造で重なっていたため、マウス本体１自体の小型化を図ることに限界があった。
【０００６】
近年、特にノートブック型コンピュータは、益々小型化・薄型化が推し進められ、これに伴って、かかるコンピュータを収納する専用ケースも小型化が図られるようになっており、アクセサリ製品としてのマウスを収納するスペースも少なくなっている。これに起因して、これまで以上に、マウスの小型化・薄型化が要望されるようになっているにもかかわらず、従来のようにマウスにメモリカードのインターフェース機能を付加させるために厚さが嵩んでしまうことはこれに逆行するともいえる。
【０００７】
本発明はかかる問題点の低減を図ることを目的としてなされたものである。
【課題を解決するための手段】
【０００８】
すなわち、請求項１に係る発明は、筐体下面の下に位置される操作面に臨まされるイメージセンサを筐体内部の側部に配置させ、筐体内部の中央付近を含めた部位に付加機能を追加させるための空間を確保させることを特徴とするマウスを提供することにより上記課題を解決するものである。
【０００９】
請求項１に係る発明によれば、イメージセンサの位置を筐体内部の側部に寄せて配置させたので、筐体内部の中央付近を含めた部位に別途付加機能を実現させるための内蔵部品を搭載するスペースを確保することができる。この結果、イメージセンサと、その付加機能のための内蔵部品とを重ねて配置しなくて済み、その分、マウスを薄型化できる。
【００１０】
特に、近年、ノートブック型コンピュータの薄型化が図られていることから、そのノートブック型コンピュータに付属させる場合デザイン上の統一感を出すことができる。また、そのような薄型のノートブック型コンピュータを収納する専用の収納ケースも薄型化が要望され、これに収納されるマウスの収納スペースもかさばらないようにすることが要望され、これを満足させることができる。
【００１１】
なお、上記イメージセンサの下には他の部品が配置されず、イメージセンサによる画像の取り込みを妨げないようになっている。すなわち、イメージセンサは、マウスの下筐体に形成された貫通孔を介して、マウスパッドや机上面などの操作面に臨んでいる。イメージセンサは操作面上の凹凸を拡大投影し、連続して画像入力する。そして、例えば、イメージセンサと共に同じ半導体チップ上に形成されたデジタルシグナルプロセッサが、入力した画像を過去の画像と比較して、どれくらいマウスが操作面上を動かされたかを検出する。
【００１２】
イメージセンサとしては、例えば、ＣＭＯＳ（Complementary Metal Oxide Semiconductor）や、ＣＣＤ（Charge Coupled Device）が用いられる。ＣＭＯＳタイプの方が消費電力の少ない点で有利である。また、同一半導体チップ上に、デジタルシグナルプロセッサや、デジタル化した画像を蓄えておくメモリ、その他回路などと一緒に作り込む場合には、ＣＭＯＳタイプの方が製造プロセスを簡単にできる。
【００１３】
また、マウスはケーブルを介してコンピュータ本体と接続される構成でもよいし、例えば赤外線通信を用いたワイヤレスタイプでもよい。ただし、ワイヤレスタイプのマウスは、マウス本体に電池を内蔵させる必要があるため、ケーブル接続タイプの方が小型化には有利である。
【００１４】
請求項２に係る発明は、上記付加機能は、記憶媒体が接続されるインターフェース機能であることを特徴とする請求項１に記載のマウスを提供することにより上記課題を解決するものである。
【００１５】
請求項２に係る発明によれば、近年特に電子スチルカメラや、カメラ付き携帯電話機の普及により使用の機会が増えている半導体メモリカードなどの記憶媒体を接続させるインターフェース機能を兼ね備えさせることができ、高い利便性を有する多機能マウスとすることができる。特に、筐体外部の後端部であって中央付近に記憶媒体を挿入するための挿入口を形成すれば、使用者は記憶媒体の装填位置をはっきりと把握することができ、その利便性も向上される。
【００１６】
請求項３に係る発明によれば、イメージセンサは、記憶媒体を装填させるスロットと重ね合わされることなく並列に配置されることを特徴とする請求項２に記載のマウスを提供することにより上記課題を解決するものである。
【００１７】
請求項３に係る発明によれば、イメージセンサとスロットとが重ね合わせて配置されていないので、それだけ薄型化を図ることができる。
【００１８】
請求項４に係る発明は、筐体が扁平に形成されることを特徴とする請求項１に記載のマウスを提供することにより上記課題を解決するものである。
【００１９】
請求項４に係る発明によれば、筐体自体を扁平とすることで薄型化を外観デザイン上からも強調することができ、これを使用する使用者にとっても、従来のマウスを使用している感覚と異なる新たな使用感覚を体感させることができ、あたかも操作面の上を直接手でなぞるような感覚で使いやすさを向上できる。また、収納時において無駄な大きさがなく嵩張らないですむ。
【００２０】
請求項５に係る発明は、イメージセンサと、記憶媒体を装填させるスロットとが同一基板に並べて設けられていることを特徴とする請求項２に記載のマウスを提供することにより上記課題を解決するものである。
【００２１】
請求項５に係る発明によれば、部品点数が少なく、しかも相互の干渉を防止した効率的な内部構成を実現できる。これにより、マウスの組み立て作業が容易になる。
【００２２】
上記基板に、さらに筐体下面の下に位置される操作面を照らすための照明手段を設ければ、よりいっそうの薄型化及び部品点数の削減が図れる。照明手段は、例えば、ＬＥＤ（Light Emitting Diode）などの発光素子と、この発光素子からの光を操作面上に導く導光棒やレンズなどからなる。
【発明の効果】
【００２３】
本発明のマウスによれば、イメージセンサは筐体内部の側部に配置され、筐体内部の中央付近を含めた部位には付加機能を追加させるための空間が確保されているので、付加機能を備えて使用時の利便性向上を図りつつ、マウス全体としての小型化及び薄型化を図れて携帯性や収納性にも優れる。
【発明を実施するための最良の形態】
【００２４】
以下、本発明の一例としての実施の形態を図面に沿って説明する。なお、上記従来の技術を説明するための図面で用いた符号と同一内容を示す部位については同一符号を付して説明することとする。
【００２５】
そして、先に述べておくが、以下に述べる実施の形態は、本発明の好適な具体例であるから、技術的に好ましい種々の限定が付されているものの、本発明の認識範囲は、以下の説明において、とくに本発明を限定する旨の記載がない限り、これらの形態に限られるものではない。
【００２６】
図１は、本発明の実施形態に係るマウスの内部構成を模式的に示す概略平面図である。図２は、本発明の実施形態に係るマウスの内部構成を模式的に示す概略側面図である。
【００２７】
本実施形態のマウスは、操作面に対するマウスの動きを光学的に検出する光学式マウスであって、図示しないコンピュータに接続させて表示画面上のポインタを操作するポンティングデバイスとして機能させる本来の機能に加えて、付加機能として少なくとも記憶媒体に対する読み書きを行うインターフェース機能を兼ね備えている。
【００２８】
その基本構成について説明すると、マウス本体１の内部には、ＣＭＯＳ（Complementary Metal Oxide Semiconductor）あるいはＣＣＤ（Charge Coupled Device）などのイメージセンサ２と、半導体メモリを利用した記憶媒体であるメモリカード４を装填させるためのスロット３が並列に配置され、これらが同一の基板１０に実装されてなる。ここで、イメージセンサ２は基板１０上で側部に寄せて配置されるのに対して、これよりも大きい平面寸法（実装面積）を有するスロット３が基板１０の中央部分を含む大部分を占めるように配置されている。
【００２９】
かかるイメージセンサ２の配置がいかに側部に寄せているかについては、従来のマウスと比較して説明するための図３ａ及び図３ｂを見れば一目瞭然である。
【００３０】
図３ａは、本発明の実施形態に係るマウスと比較して説明するための、従来のマウスの内部構成を模式的に示す概略平面図であり、その従来のマウスでは、マウス本体１の中央付近にイメージセンサ２が配置されている。イメージセンサ２の両側には他の機構部１１が配置されている。なお、イメージセンサ２は、機構部１１が実装された基板１０の下に重ねられた別の基板に実装されている。
【００３１】
これに対して、本発明の実施形態に係るマウスでは、図３ｂに示すように、イメージセンサ２及びスロット３共に同一基板１０上に実装され、イメージセンサ２はマウス本体１の内部において明らかに側部に寄せて配置されている。
【００３２】
次に、本実施形態に係るマウスの外観形状について、図４乃至図９を用いて説明する。マウス本体１において、上筐体３１と下筐体３２とが組み合わされて得られる筐体外形形状は、図４、図９に示すように平面視にて略矩形状を呈している。図４はマウスの上面図を、図９は底面図を示す。
【００３３】
上筐体３１と下筐体３２とが組み合わされて形成されるこれら両者の間の空間には、後述するようにイメージセンサ２やスロット３が設けられた基板１０（図１０参照）や、中筐体４０（図１１参照）が配設される。
【００３４】
マウス本体１の前端部寄りの略中央位置には、ホイール７が、その外周部の一部を上筐体３１から突出させて設けられている。ホイール７は一般的なマウスに適用されるものであって、これを転動させることで図示しないコンピュータに表示された画面を上下にスクロールさせることができる。
【００３５】
図４に示すように、上筐体３１においてホイール７の両側部分はクリック操作部５ａ，５ｂである。上筐体３１には長手方向に沿って２分割するような分割線が形成されているが、実際に上筐体３１が分割されているのはクリック操作部５ａ，５ｂの部分だけであり（それ以外の部分は単なる溝として形成されているだけであり上筐体３１を分割していない）、それぞれのクリック操作部５ａ，５ｂは板バネのように撓むことで内部のマイクロスイッチに当接して作動させる構成となっている。
【００３６】
マウス本体１の前端部からは、他端を図示しないコンピュータに接続させるケーブル１２が導出されている。かかるケーブル１２は必須のものではなく、例えば赤外線等を使ったワイヤレスのものであれば不要となる。
【００３７】
また、マウス本体１を構成する筐体は、全体として扁平形状からなり、とくに上面が平滑となっている。これにより内部構成としては並列配置とすることで薄型化を図っていることに加えて、筐体としても薄型化を図るようにしている。
【００３８】
上筐体３１及び下筐体３２は、前後端部を略半円形状に湾曲させている。これにより使用者が利用する際の手触りをよくすることができ、とくに前端部を湾曲させたことで操作時に指先に違和感なくフィットさせることができる。
【００３９】
図８に示すように、後端部には、メモリカード４を挿入させるための挿入口３ａが設けられており、その挿入口３ａは上下の高さの中間位置であって左右の幅の中央部分を含むようにしてほぼ中央付近に開口している。これにより、使用者は視覚的にメモリカード４を挿入させる位置を把握しやすく、利便性を向上させることができるようになっている。
【００４０】
下筐体３２の底面には、（具体的には図９中の左側部中央付近には）、オプティカルレンズ２ｂが設けられている。このオプティカルレンズ２ｂを通して、後述する発光素子からの光が操作面上を照らし、その反射光をオプティカルレンズ２ｂを通してイメージセンサ２で検出する。
【００４１】
さらに、マウス本体１の内部構成について図１０を用いて説明する。図１０は図７におけるＡ−Ａ線断面図である。下筐体３２に対して２つの基板１０、５０が取り付けられている。両基板１０、５０は重なり合っておらず、基板５０はマウス本体１の前端部寄りの略１／３程を占め、基板１０はそれ以外の大部分を占めている。
【００４２】
基板１０の側部（図１０において右側部）にはイメージセンサ２が実装されている。イメージセンサ２は、例えば半導体チップに作り込まれたＣＭＯＳであり、さらにその半導体チップには、イメージセンサ２の他に、画像メモリや画像処理装置（デジタルシグナルプロセッサ）が合わせて作り込まれている。
【００４３】
画像メモリは、イメージセンサ２で撮影された例えばマウスパッドなどの操作面上の画像データを記憶する。画像処理装置は、デジタル化された画像を処理する。
【００４４】
また、基板１０上において、イメージセンサ２が実装された同じ側部であってマウスの後端部寄りの部分に、発光素子２ａや導光棒などの照明手段が実装されている。この照明手段とスロット３の位置も重なっていない。
【００４５】
基板５０上の略中央部にはホイール７が回転自在に設けられている。また、基板５０上には、上記クリック操作部５ａに対応する位置にマイクロスイッチ３５ａが、上記クリック操作部５ｂに対応する位置にマイクロスイッチ３５ｂが実装されている。
【００４６】
ホイール７の回転軸の一端には、ホイール７の回転量を検出するロータリエンコーダ３６が設けられている。回転軸の他端にはスイッチ作動子３７が設けられ、この下にはマイクロスイッチが基板５０上に実装されている。ホイール７を下方に押動されるとスイッチ作動子３７がその下方のマイクロスイッチに当接して作動させる。
【００４７】
下筐体３２と上筐体３１との間には、図１１に示す中筐体４０が配設される。図１１は、図１０に示される下筐体に中筐体４０を組み付けた状態を示す。中筐体４０は、上筐体支持部４１と、前部４３と、左右の側面部４２ａ、４２ｂとからなる。
【００４８】
上筐体支持部４１は基板１０を覆うように配置される。長円状の側面部４２ａ、４２ｂは外部に露出されマウス本体１の側面として機能する。上筐体支持部４１と前部４３との間には段差が形成され、前部４３が上筐体支持部４１よりも下方に下がって位置している。
【００４９】
上筐体３１は、そのクリック操作部５ａ，５ｂの位置を前部４３の位置に対応させて組み付けられる。上筐体３１においてクリック操作部５ａ，５ｂ以外の部分は中筐体４０の上筐体支持部４１に支持されて下方への移動が規制されている。しかし、前部４３が上筐体支持部４１よりも下がって位置することから、クリック操作部５ａ，５ｂの下方には前部４３との間に空間が確保され、クリック操作部５ａ，５ｂの下方への撓みを許容する。
【００５０】
そして、クリック操作部５ａ，５ｂが下方に押動されて撓むと、クリック操作部５ａ，５ｂはそれぞれ、前部４３に形成された切欠き４５ａ、４５ｂから露出しているマイクロスイッチ３５ａ、３５ｂ（図１０参照）に当接してこれを作動させる。このように、クリック操作部５ａ，５ｂを、通常のマウスによく見られるように上筐体と別体とされたクリックボタンとして構成するのではなく、上筐体と一体とすることで部品点数の削減や組み立て作業の簡略化が図れる。
【００５１】
上述したイメージセンサ２の基本的機能は、発光素子２ａから発光される光を、作業台あるいはマウスパッドなどマウスを移動させる操作面上に反射させて受光することで物理的な位置を把握するようになっている。すなわち、操作面の微細な凹凸がイメージセンサ２に拡大投影され、連続して画像入力される。その入力タイミングは例えば毎秒１５００〜２０００回以上である。毎回、入力した画像を過去の画像と比較して、どれくらいマウスが操作面上を動かされたかを上述した画像処理装置で処理して検出する。
【００５２】
再び図１０を参照して、基板１０において中央付近から左側方にかけて大きな収容面積を占める部分がスロット３である。メモリカード４は、マウス本体１の後端部の挿入口３ａから挿入されると、基板１０上に実装されたスロット３のコネクタ３ｂに嵌合される。スロット３のインターフェースとしての機能説明は後述する。
【００５３】
上述したように、本実施形態では、従来は基板上のセンターに配置していたイメージセンサ２をスロット３と重ならないように側部にオフセットさせて位置させることにより、マウス本体１の薄型化を保持しつつ機能拡張が図られるようになっている。
【００５４】
ここで、本実施形態では、イメージセンサ２をオフセットすることで空いたスペースを有効利用すべく、この空いたスペースにメモリカード４を装填させるためのスロット３を設けてメモリカード４のインターフェース機能を１枚の基板１０に集約している。これにより、従来のように基板が２段構造である場合に比べて薄型化を実現できる。
【００５５】
なお、本実施形態では、機能拡張の例として、メモリカード４のインターフェース機能を例示してきたが、これに限定されるものではなく、例えば、ワイヤレス通信機能や指紋認証機能、ラベルプリント機能などを付加機能として併せ持たせた製品展開も想定できる。
【００５６】
なお、イメージセンサ２の位置をオフセットさせているため、イメージセンサ２は物理的にマウス本体１を構成する筐体の底面側部に寄せられてしまうことになるが、使用者にしてみれば、コンピュータ側の表示画面上のポインタを相対的に移動させられればよいことから、使用に際して従来のものと比べて違和感はない。特に、ドライバーやＦ／Ｗ（Firmware）などは従来のものと同様の配置としていることから使い勝手の弊害は無いものと見込める。
【００５７】
また、本実施の形態では、基板１０を小さく、一枚にまとめるために、次のような工夫も凝らしている。すなわち、第１に、部品の小型化・高密度実装を図るため、通常のマウスでは１６０８（１．６ｍｍ×０．８ｍｍ）サイズのコンデンサと抵抗を使用しているところ、１００５（１．０ｍｍ×０．５ｍｍ）サイズ、０６０３（０．６ｍｍ×０．３ｍｍ）サイズのものを使用することにより高密度実装を行っている。第２に、基板１０に対するスルーホール部品の削減も図っており、これにより基板実装上の制約を少なくしている。第３に、基板１０として６層貫通基板を採用することで配線密度を向上させ、高密度配線を実現している。これにより、２枚の基板を２段重ねて使用しなくて済むようにしている。
【００５８】
なお、基板１０には、図１０に示す実装面の反対面にも部品が実装されている。例えば、以下で図１２を参照して説明する、ＵＳＢコントローラ２２、ＵＳＢハブ２４、メモリカードコントローラ２５、フラッシュメモリ２７、ＥＥＰＲＯＭ２６などが反対面に実装されている。
【００５９】
本実施形態に係るマウスの回路ブロックを示す図１２において、（左／中央／右）ボタン・ロータリエンコーダ２０は、マウスの左クリック操作部５ａ、右クリック操作部５ｂ，ホイール７の回転及び押動操作を検出する。この（左／中央／右）ボタン・ロータリエンコーダ２０よりの検出信号をケーブル２１を介してＵＳＢ（Universal Serial Bus）コントローラ２２に供給する。
【００６０】
発光素子２ａから発光された光の、マウスパッドなどの操作面上からの反射光はイメージセンサ２で受光され、この受光情報はマウスコントローラ２３（例えば、イメージセンサ２と一緒に半導体チップに作り込まれるデジタルシグナルプロセッサ）に供給される。このマウスコントローラ２３にてマウスの移動情報が得られ、このマウスの移動情報はＵＳＢコントローラ２２に供給される。このＵＳＢコントローラ２２の出力信号はＵＳＢハブ（ＵＳＢ Ｈｕｂ）２４に供給される。
【００６１】
メモリカード４に記憶されている情報はメモリカードインターフェースを介してメモリカードコントローラ２５に供給される。このメモリカードコントローラ２５はＥＥＰＲＯＭ（Electrically Erasable Programmable Read-Only Memory）２６に記憶されている所定のプログラムを実行し、その出力信号をＵＳＢハブ２４に供給する。フラッシュメモリ２７はメモリカードコントローラ２５の動作に寄与する。
【００６２】
ＵＳＢハブ２４は、ＵＳＢケーブル２９（１２）を介してコンピュータ２８と接続される。
【００６３】
本実施形態によるマウスはポインタを操作させる通常のマウスとして動作すると共に、カメラにより撮影された画像や映像が記憶されたメモリーカード４がスロット３に挿入されたときはこのメモリカード４に記憶された画像や映像をコンピュータ２８に転送してコンピュータ２８の記憶装置に記憶させたり、表示画面２８ａに表示することができ、またプリンタで印刷をすることができ、使い勝手が良い。
【００６４】
なお、本発明は上述した実施形態に限ることなく本発明の要旨を逸脱することなく、その他種々の構成がとり得ることは勿論である。
【図面の簡単な説明】
【００６５】
【図１】本発明の実施形態に係るマウスの内部構成を模式的に示す概略平面図である。
【図２】同マウスの内部構成を模式的に示す概略側面図である。
【図３】本発明の実施形態に係るマウスと比較して説明するための内部構成を模式的に示す概略平面図で、ａは従来のマウスであり、ｂは本発明の実施形態に係るマウスである。
【図４】本発明の実施形態に係るマウスの平面図である。
【図５】同マウスの左側面図である。
【図６】同マウスの右側面図である。
【図７】同マウスの正面図である。
【図８】同マウスの背面図である。
【図９】同マウスの底面図である。
【図１０】図７におけるＡ−Ａ線断面図である。
【図１１】同マウスの上筐体を外した状態の斜視図である。
【図１２】同マウスの基本的機能を示すブロック図である。
【図１３】従来のマウスの内部構成を模式的に示す概略側面図である。
【図１４】図１３におけるＢ−Ｂ線断面図である。
【図１５】図１３におけるＣ−Ｃ線断面図である。
【符号の説明】
【００６６】
１…マウス本体、２…イメージセンサ、２ａ…発光素子、２ｂ…レンズ、３…スロット、３ａ…挿入口、４…メモリカード、５ａ，５ｂ…クリック操作部、７…ホイール、８…基板、９…基板、１０…基板、１１…機構部、１２…ケーブル、３１…上筐体、３２…下筐体、３５ａ，３５ｂ…マイクロスイッチ、３６…ロータリエンコーダ、４０…中筐体、４１…上筐体支持部。
【図１】
2005165845.tif 000003
【図２】
2005165845.tif 000004
【図３】
2005165845.tif 000005
【図４】
2005165845.tif 000006
【図５】
2005165845.tif 000007
【図６】
2005165845.tif 000008
【図７】
2005165845.tif 000009
【図８】
2005165845.tif 000010
【図９】
2005165845.tif 000011
【図１０】
2005165845.tif 000012
【図１１】
2005165845.tif 000013
【図１２】
2005165845.tif 000014
【図１３】
2005165845.tif 000015
【図１４】
2005165845.tif 000016
【図１５】
2005165845.tif 000017